(57)【要約】      （修正有）【課題】本発明の目的は、簡易且つ迅速にロックすることができる移動販売車及びロック装置を提供するものである。【解決手段】略直方体形状のコンテナを有した移動販売車であって、前記略直方体形状のコンテナは、側面に開口部を有し、該開口部は、下扉１３と上扉１４で開閉され、前記コンテナは、ロック装置を有し、前記ロック装置は、コンテナ本体１０と、このコンテナ本体１０に設けられた被係止部と、コンテナ本体に対して回動自在に支持された下扉と、この下扉に回動自在にフリーに取り付けられ、先端に被係止部に係止するツメ部を有するツメ体と、このツメ体に設けられ、ツメ部と被係止部との係止状態を解除するレバーとを備え、下扉をコンテナ本体１０に近づけるように回動すると、ツメ部の外周が被係止部に当接し、ツメ部の先端を超えて、ツメ部が落下し、ツメ部の内方の凹所の部位が被係止部に係止するものである。【選択図】図１
2019209920.tif 000002
【特許請求の範囲】
【請求項１】
略直方体形状のコンテナを有した移動販売車であって、
前記略直方体形状のコンテナは、側面に開口部を有し、
該開口部は、下扉と上扉で開閉され、
前記コンテナは、ロック装置を有し、
前記ロック装置は、
コンテナ本体と、
このコンテナ本体に設けられた被係止部と、
前記コンテナ本体に対して回動自在に支持された前記下扉と、
この下扉に回動自在にフリーに取り付けられ、先端に前記被係止部に係止するツメ部を有するツメ体と、
このツメ体に設けられ、前記ツメ部と前記被係止部との係止状態を解除するレバーとを備え、
前記下扉を前記コンテナ本体に近づけるように回動すると、前記ツメ部の外周が前記被係止部に当接し、前記ツメ部の先端を超えて、前記ツメ部が落下し、前記ツメ部の内方の凹所の部位が前記被係止部に係止する
ことを特徴とする移動販売車。
【請求項２】
被係止部は、回動自在に支持されたパイプである
ことを特徴とする請求項１記載の移動販売車。
【請求項３】
下扉の上に上扉が位置し、
前記下扉の上に前記上扉が位置した状態にあって、前記下扉が外方に回動するのを前記上扉に係止して阻止するストッパーが前記下扉に取り付けられている
ことを特徴とする請求項１記載の移動販売車。
【請求項４】
本体と、
この本体に設けられた被係止部と、
前記本体に対して回動自在に支持された移動体と、
この移動体に回動自在にフリーに取り付けられ、先端に前記被係止部に係止するツメ部を有するツメ体と、
このツメ体に設けられ、前記ツメ部と前記被係止部との係止状態を解除するレバーとを備え、
前記移動体を前記本体に近づけるように回動すると、前記ツメ部の外周が前記被係止部に当接し、前記ツメ部の先端を超えて、前記ツメ部が落下し、前記ツメ部の内方の凹所の部位が前記被係止部に係止する
ことを特徴とするロック装置。
【請求項５】
被係止部は、回動自在に支持されたパイプである
ことを特徴とする請求項４記載のロック装置。
【発明の詳細な説明】
【技術分野】
【０００１】
本発明は、移動販売車及びロック装置に係り、特に、簡易且つ迅速にロックすることができる移動販売車及びロック装置に関する。
【背景技術】
【０００２】
従来、山間部等において、食料品等を搭載した移動販売車が使用されている。
この移動販売車は、略直方体形状のコンテナを有し、側面に下扉と上扉で開閉され開口部を備えている。
そして、移動販売車の走行中に生じる振動により、下扉１００が開放されないように、下扉１００には、ラッチ１０１が用いられている（図８参照）。
【発明の概要】
【発明が解決しようとする課題】
【０００３】
しかしながら、ラッチ１０１を解除するためには、ラッチ１０１に内蔵されているスプリングに抗してラッチ１０１の摘み１０２を水平方向に移動せねば成らず、しかも、摘み１０２の水平方向の移動操作は、ラッチ１０１の解除のみならず、ラッチ１０１をロックする場合も行わなければならず、ラッチ１０１による開閉操作が煩わしいという問題点があった。
【０００４】
本発明は、前記問題点を考慮してなされた移動販売車及びロック装置を提供することを目的とする。
【課題を解決するための手段】
【０００５】
請求項１記載の移動販売車は、略直方体形状のコンテナを有した移動販売車であって、前記略直方体形状のコンテナは、側面に開口部を有し、該開口部は、下扉と上扉で開閉され、前記コンテナは、ロック装置を有し、前記ロック装置は、コンテナ本体と、このコンテナ本体に設けられた被係止部と、前記コンテナ本体に対して回動自在に支持された前記下扉と、この下扉に回動自在にフリーに取り付けられ、先端に前記被係止部に係止するツメ部を有するツメ体と、このツメ体に設けられ、前記ツメ部と前記被係止部との係止状態を解除するレバーとを備え、前記下扉を前記コンテナ本体に近づけるように回動すると、前記ツメ部の外周が前記被係止部に当接し、前記ツメ部の先端を超えて、前記ツメ部が落下し、前記ツメ部の内方の凹所の部位が前記被係止部に係止するものである。
【０００６】
また、請求項２記載の移動販売車は、請求項１記載の移動販売車において、被係止部は、回動自在に支持されたパイプである。
【０００７】
また、請求項３記載の移動販売車は、請求項１記載の移動販売車において、下扉の上に上扉が位置し、前記下扉の上に前記上扉が位置した状態にあって、前記下扉が外方に回動するのを前記上扉に係止して阻止するストッパーが前記下扉に取り付けられているものである。
【０００８】
また、請求項４記載のロック装置は、本体と、この本体に設けられた被係止部と、前記本体に対して回動自在に支持された移動体と、この移動体に回動自在にフリーに取り付けられ、先端に前記被係止部に係止するツメ部を有するツメ体と、このツメ体に設けられ、前記ツメ部と前記被係止部との係止状態を解除するレバーとを備え、前記移動体を前記本体に近づけるように回動すると、前記ツメ部の外周が前記被係止部に当接し、前記ツメ部の先端を超えて、前記ツメ部が落下し、前記ツメ部の内方の凹所の部位が前記被係止部に係止するものである。
【０００９】
また、請求項５記載のロック装置は、請求項４記載のロック装置において、被係止部は、回動自在に支持されたパイプである。
【発明の効果】
【００１０】
請求項１記載の移動販売車によれば、移動体をコンテナ本体に近づけるように回動すると、ツメ部の外周が被係止部に当接し、前記ツメ部の先端を超えて、前記ツメ部が落下し、前記ツメ部の内方の凹所の部位が前記被係止部に係止するため、簡易且つ迅速にロックすることができる。
【００１１】
また、請求項２記載の移動販売車によれば、上述した請求項１記載の発明の効果に加え、被係止部は、回動自在に支持されたパイプであるため、ツメ部の動きをスムーズに案内し、迅速にロックすることができる。
【００１２】
また、請求項３記載の移動販売車によれば、上述した請求項１記載の発明の効果に加え、下扉の上に上扉が位置した状態にあって、前記下扉が外方に回動するのを前記上扉に係止して阻止するストッパーが前記下扉に取り付けられているため、ツメ部と被係止部との係止状態が、例えば、移動中、何らかの理由で、解除された場合、下扉はストッパーが上扉に係止して下扉が外方に回動するのを阻止することができる。
【００１３】
また、請求項４記載のロック装置によれば、移動体を本体に近づけるように回動すると、ツメ部の外周が被係止部に当接し、前記ツメ部の先端を超えて、前記ツメ部が落下し、前記ツメ部の内方の凹所の部位が前記被係止部に係止するため、簡易且つ迅速にロックすることができる。
【００１４】
また、請求項５記載のロック装置によれば、上述した請求項１記載の発明の効果に加え、被係止部は、回動自在に支持されたパイプであるため、ツメ部の動きをスムーズに案内し、迅速にロックすることができる。
【図面の簡単な説明】
【００１５】
【図１】図１は、本発明の一実施例の移動販売車の概略的一部断面図である。
【図２】図２は、本発明の要部の概略的一部拡大断面図である。
【図３】図３は、図２のロック装置のロック時の動きを示す概略的図である。
【図４】図４は、図２のロック装置のロック解除時の動きを示す概略的図である。
【図５】図５（ａ）は、図２のツメ体の概略的斜視図であり、図５（ｂ）は、図５（ａ）のツメ体の概略的分解斜視図である。
【図６】図６（ａ）は、図２の被係止部の概略的斜視図であり、図６（ｂ）は、図６（ａ）の被係止部の概略的分解斜視図である。
【図７】図７は、図２のロック装置のロック時を斜め上方から撮った写真である。
【図８】図８は、従来の移動販売車におけるロック装置の写真である。
【００１６】
本発明の一実施例の移動販売車及びロック装置を図面（図１乃至図７）を参照して説明する。
山間部等において、食料品等を搭載した移動販売車（例えば、特開２０１７−３５９８８公報参照）が使用されている。この移動販売車は、略直方体形状のコンテナを有している。
図１に示す１１はコンテナの天井パネルで、１２はコンテナの床パネルである。前記略直方体形状のコンテナは、側面に開口部を有し、該開口部は、下扉１３と上扉１４で開閉されるようになっている。
【００１７】
前記コンテナは、ロック装置を有し、前記ロック装置は、コンテナ本体１０と、このコンテナ本体１０に設けられた被係止部１５と、コンテナ本体１０に対して回動自在に支持された下扉１３と、この下扉１３に回動自在にフリーに取り付けられ、先端に被係止部１５に係止するツメ部１６１を有するツメ体１６と、このツメ体１６に設けられ、ツメ部１６１と被係止部１５との係止状態を解除するレバー１６２とを備えている。
【００１８】
被係止部１５は、図６に示すように、ツメ部１６１と噛み合って下扉１３を保持する役目を果たすストライカーで、該ストライカーは、例えば、ビス１５１とパイプ１５２とを有する。
特に、被係止部１５が回動自在に支持されたパイプ１５２であると、ツメ部１６１の動きをスムーズに案内し、迅速にロックすることができる。
また、ツメ体１６は、図２及び図５に示すように、台座１にビス２、ナット３を介して取り付けられている。台座１は、下扉１３に図示しないビスで取り付けられている。
【００１９】
下扉１３をコンテナ本体１０に近づけるように回動すると、図３に示すように、ツメ部１６１の外周が被係止部１５に当接し、ツメ部１６１の先端を超えて、ツメ部１６１が落下し、ツメ部１６１の内方の凹所１６１ａの部位が被係止部１５に係止するものであり、凹所１６１ａの開口部は、下方を向いている。
即ち、下扉１３をコンテナ本体１０に近づけるように回動すると、ツメ部１６１の外周が被係止部１５に当接し、ツメ部１６１の先端を超えて、ツメ部１６１が落下し、ツメ部１６１の内方の凹所１６１ａの部位が被係止部１５に係止するため、簡易且つ迅速にロックすることができる。
なお、下扉１３を開ける場合は、レバー１６２を図４に示すように指で倒せば、ツメ部１６１と被係止部１５との係止状態を解除することができる。
【００２０】
また、図１に示すように、下扉１３の上に上扉１４が位置し、下扉１３の上に上扉１４が位置した状態にあって、下扉１３が外方に回動するのを上扉１４に係止して阻止するストッパーＳが下扉１３に取り付けられている。
そのため、ツメ部１６１と被係止部１５との係止状態が、例えば、移動中、何らかの理由で、解除された場合、下扉１３はストッパーＳが上扉１４に係止して下扉１３が外方に回動するのを阻止することができる。
なお、上扉１４は、図示しないロック装置により、上扉１４ が外方に回動しないように阻止されている。ストッパーＳは、硬質部材であるが、ストッパーＳの先端は、軟質部材となっている。
【００２１】
また、上述した実施例においては、ツメ部１６１と被係止部１５との係止状態によるロック装置を移動販売車に適用した例について述べたが、本願発明にあっては、移動販売車に限らず、一般的なロック装置にも適用することができる。
即ち、ロック装置は、本体（本体は、例えば、上記実施例で言えば、コンテナ本体１０）と、この本体に設けられた被係止部（被係止部は、例えば、上記実施例で言えば、被係止部１５）と、前記本体に対して回動自在に支持された移動体（移動体は、例えば、上記実施例で言えば、下扉１３）と、この移動体に回動自在にフリーに取り付けられ、先端に前記被係止部に係止するツメ部を有するツメ体（ツメ体は、例えば、上記実施例で言えば、ツメ体１６）と、このツメ体に設けられ、前記ツメ部と前記被係止部との係止状態を解除するレバー（レバーは、例えば、上記実施例で言えば、レバー１６２）とを備え、前記移動体を前記本体に近づけるように回動すると、前記ツメ部の外周が前記被係止部に当接し、前記ツメ部の先端を超えて、前記ツメ部が落下し、前記ツメ部の内方の凹所（凹所は、例えば、上記実施例で言えば、凹所１６１ａ）の部位が前記被係止部に係止するものであり、前記凹所の開口部は、下方に向いているものである。
このロック装置においても、上記実施例と同様に、移動体を本体に近づけるように回動すると、ツメ部の外周が被係止部に当接し、前記ツメ部の先端を超えて、前記ツメ部が落下し、前記ツメ部の内方の凹所の部位が前記被係止部に係止するため、簡易且つ迅速にロックすることができる。
【符号の説明】
【００２２】
１０      コンテナ本体
１３      下扉
１４      上扉
１５      被係止部
１６      ツメ体
１６１    ツメ部
１６２    レバー
１６１ａ  凹所
【図１】
2019209920.tif 000003
【図２】
2019209920.tif 000004
【図３】
2019209920.tif 000005
【図４】
2019209920.tif 000006
【図５】
2019209920.tif 000007
【図６】
2019209920.tif 000008
【図７】
2019209920.tif 000009
【図８】
2019209920.tif 000010